(57)【要約】      （修正有）【課題】障害者や高齢者が居住し、津波、洪水、高潮などの被災時は、近隣住民も収容して浮揚することで国民の生命と財産を守る浮揚式在宅介護防災シェルタ−を提供する。【解決手段】下部床組と上部梁組を隅柱並びに間柱を用いて繋ぎ強固な架構体を構築し、下部床組の底面を鋼板で塞ぎ直上にバラストを兼ねる飲料水タンク６０を設置し、架構体の側面部に室内側から間伐材を接合した集成材の桁及び妻パネルを装着してボルト固定して防水扉５２を設置し、架構体の上面部に甲板パネル３３を敷設してボルト固定して脱出口５１を設置し、外側の全面にＦＲＰ皮膜５９を施して断熱塗料５５で塗装し、甲板部３は視認性ある国際規格のオレンジ色の滑り止め断熱塗料で塗装し、室内には調理台７４、トイレ７６、浴室７５、ベット７９、電動移動介助装置７８などを設置した浮揚式在宅介護防災シェルタ−。【選択図】図１３
2017065672.tif 000002
【特許請求の範囲】
【請求項１】
山形鋼（２０）を用いた二本の桁側土台（１０）を平行に配置して直交する方向で両端に妻側土台（１１）を配置し、下面に平鋼の引張材（１６）を前記妻側土台（１１）と平行に配置し、四隅に前記平鋼の斜張材（１９）を配置して溶接した下部床組（６）と、前記山形鋼（２０）を用いた二本の桁側梁材（１２）を平行に配置して直交する方向で両端に妻側梁材（１３）を配置し、上面に平鋼の引張材（１６）を前記妻側梁材（１２）と平行に配置し、前記妻側梁材（１３）と前記引張材（１６）との間、並びに前記引張材（１６）相互の間を連結する間張材（１８）を配置して溶接した上部梁組（７）と、前記下部床組（６）並びに前記上部梁組（７）の側面、並びに隅柱（１４）と間柱（１５）の上下の側面にボルト孔（２９）を開け、接続金具（２６）または接続吊金具（２７）を介してボルト（４０）で接合した架構体（８）から成ることを特徴とする浮揚式在宅介護防災シェルタ−の製造方法。
【請求項２】
前記桁側土台（１０）、前記妻側土台（１１）、前記桁側梁材（１２）、前記妻側梁材（１３）、前記隅柱（１４）に用いる前記山形鋼（２０）が、等辺山形鋼または不等辺山形鋼か、角型鋼管（２１）の隣り合う二辺の端部に前記平鋼（２２）を溶接した角形山鋼材（２３）と、前記間柱（１５）、前記引張材（１６）、胴差材（１７）、前記間張材（１８）、前記斜張材（１９）に用いる前記平鋼（２２）が、前記角形鋼管（２１）の一辺の両端部に前記平鋼（２２）を溶接した角形平鋼材（２４）と、三枚の前記平鋼（２２）をＴ字形状に溶接したＴ形平鋼材（２５）を配置して軽量化した前記架構体（８）から成ることを特徴とする請求項１記載の浮揚式在宅介護防災シェルタ−の製造方法。
【請求項３】
前記架構体（８）を構成する前記下部床組（６）の底面部（４）を塞ぐ底鋼板（２８）と一体のバラスト兼ねた飲料水タンク（６０）を設置し、前記飲料水タンク（６０）の中を常に満水状態に維持して、津波や横波を被り傾いても元の状態に戻る復元力を確保し、前記浮揚式在宅介護防災シェルタ−（１）の転覆や沈没を防止するためのバラストとした前記下部床組（６）と前記飲料水タンク（６０）から成ることを特徴とする請求項１又は請求項２記載の浮揚式在宅介護防災シェルタ−の製造方法。
【請求項４】
前記浮揚式在宅介護防災シェルタ−の側面部（２）と甲板部（３）の外面を保護する複合化皮膜（５９）は、プライマ−で下地処理を施し、一層目となる硝子塗料（５８）を塗布しながら硝子マット（４６）を敷設し脱泡させがら木部はステップル（４３）と傘クギ（４４）とで糊着固定させて加水分解により硬化させて一層目を形成し、その上に二層目となる前記硝子塗料（５８）を塗布しながら二層目のシリカ耐熱マット（４７）を敷設し脱泡させがら糊着固定させて加水分解により硬化させた後、凹凸段差がある表面をディスクサンダ−等で平滑に研磨調整して二層目を形成し、清掃の後に表面層となる三層目の前記硝子塗料（５８）を塗布して加水分解により硬化させて複合化皮膜（５９）を形成し、その上に滑り止め骨材を混入した断熱塗料（５５）を塗装して成ることを特徴とする請求項１から請求項３のいずれか一項に記載の浮揚式在宅介護防災シェルタ−の製造方法。
【発明の詳細な説明】
【技術分野】
【０００１】  本発明は地震が起因する建物倒壊や津波、異常気象による洪水や高潮などの災害から国民の生命、健康と財産を守る間伐材を用いた浮揚式在宅介護防災シェルタ−の製造分野。浮揚式在宅介護防災シェルタ−内で、高齢者が介護支援を受けながら生活する福祉分野。山林放置のヒノキ小径木を伐採→搬出→利用→植林する循環を創ることで、５兆円規模の新規産業と５０万人の雇用を創出する地域再生で、全国土の強靱化を図る地方創生分野。
【背景技術】
【０００２】  平成１６年１２月２６日マレ−シア沖で発生した海底大地震に伴って発生した津波によりインド洋沿岸諸国の海岸部では、古今未曾有の十数万人前後の大量溺死者が発生した。また、平成２３年３月１１日三陸沖の海底大地震に伴って発生した大津波により２万人以上に及ぶ大量溺死者が発生したことは記憶に新しく、その対策として政府は総合防災ハザ−ドマップを作成し３種類の避難準備情報・避難勧告・避難指示などの情報を発表し指定した避難所に避難するよう指示し、併せて津波による浸水想定区域を発表した。しかし、避難する手段として徒歩・自転車・車両などによる移動で指定された避難所に避難するには、高齢者や障害者では体力的に限界があり、避難距離が長いと車両停滞による大混雑が予想され完璧な避難対策でなく、浮揚式在宅介護防災シェルタ−の中に避難して災害から逃れて長生きできるの製品の開発が必要であった。【０００３】  この教訓を踏まえて、今後発生が予想される南海トラフ地震では、最大高さが３５ｍの津波が発生し、その到達時間は静岡県・和歌山県・高知県は３分以内、三重県・徳島県は５分以内、愛知県は９分以内、愛媛県・大分県・宮崎県は２０分以内で到達し、推定死傷者数３３万人でそのうち津波死者数２３万人と公表された。高齢者や障害者は避難が困難で、居住地で短時間に移動して津波から尊い命を守る対策を実施することが必要である。旧約聖書に登場する大洪水でアララト山に漂着したノアの方舟に倣い、津波や洪水に遭遇したら速やかに浮揚し、漂流中は沈没せず波間を漂う水難者を救助し、上空から早期に発見して救助される、浮揚式在宅介護防災シェルタ−を提供する。【０００４】  古事記で須佐之男命がヒノキで神社を造りヒノキの植林を奨励せよと述べられている。良質なヒノキを育成するために間伐で伐採されたヒノキの間伐材を使用して、津波や洪水や高潮に対応できる浮揚式在宅介護防災シェルタ−が必要であり。更に、全国的に高齢化が進行して介護老人が増加したが、老人用の介護施設が不足して自宅で介護せざるを得ない状況であり、高齢者の身体機能や認知機能、介護や福祉サ−ビスの状況を考慮し、高齢者が終の棲家として使用できる在宅介護施設が必要とされている。【０００５】  日本は国土面積の７０％が森林で、うち１０％は４０〜５０年前に植林したヒノキ人工林で現在間伐を必要としている。間伐で発生したヒノキ間伐材は搬出するコストが木材の価格で賄えないこと、有効な利用方法が無く山林に放置され山林崩壊を促進させている。放置されているヒノキ間伐材の有効な活用法として、本発明の浮揚式在宅介護防災シェルタ−は、ヒノキの間伐材を約四百本前後使用するため、ヒノキの間伐材で地域の住民に所得が得られ、木材産業の創生により新規な雇用が創出するため、中山間地域に若者を呼び寄せて地域が再生できる、地方創生の実現化も要望されている。【０００６】  また、合成樹脂で成形した船底殻を重ねて接合し、３人前後を収容する津波避難シェルタ−が提案されている（例えば、特許文献１参照。）この方法は、災害に備えて自宅付近に設置するだけで、転覆による収容者の安全が全く考慮されていないことである。【０００７】  同様に、ガラス繊維強化樹脂で成形された外側板と内側板の間にアクリルフォ−ムを挟んで成形した、下筐体と上筐体とをフランジ部で接合した津波対策用シェルタ−が提案されている（例えば、特許文献２参照。）この方法は筐体がアクリルフォ−ムで両側をＦＲＰ皮膜で覆っただけで強度が弱いため、建物の倒壊や漂流物との衝突で破損し、火災で類焼するため安全対策が要望されていた。また収容者数も２０人前後で価格も高価であり普及が困難であった。また個人で設置するには居住に必要なトイレ・浴室・調理施設などが具備されて無く導入することが甚だ困難であった。【０００８】  更に、ガラス繊維強化樹脂で成形された底部の下筐体と蓋部の上筐体をフランジ部を密着して接合した津波対策用シェルタ−が提案されている（例えば、特許文献３参照。）この方法では津波対策用シェルタ−が球形であり、自宅に接続して設置し通常は居室として利用が困難なため設置する場所が限定される。また、狭くて窮屈であり収容出来る人数も２人前後と少なく津波対策用シェルタ−で長時間滞在することは甚だ困難であった。更に建物の倒壊で破損し、海面を漂流中に漂流する建物瓦礫などと衝突することで、津波対策用シェルタ−の外壁が容易に破損することと、火災に遭遇すると簡単に燃え移って類焼するため、防火機能を有した安全対策が必要であった。
【特許文献】
【０００９】
【特許文献１】特開２０１３−８６７８９号公報
【特許文献２】特開２０１４−１５９２１８公報
【特許文献３】特許５５７９３３６号公報
【発明の概要】
【発明が解決しようとする課題】
【００１０】  本発明は従来の問題点を解決すべきなされたものであり、居宅の空き地に設置し高齢者が終の棲家として居住し、地震やそれが起因する津波、異常気象による洪水や高潮の発生時には、近隣の住民も収容して水面に浮揚し、津波や横波を受けても転覆や沈没もせず、漂流中に燃え盛る漂流物と衝突しても破損せず火災に遭遇して燃え移っても類焼を免れて収容者を守る。更に、漂流中には海面を漂う被災者を水難救助して収容し、上空の捜査機から早期に発見して救助され、被災した居住者の生命と健康および財産を確実に保護することができる浮揚式在宅介護防災シエルタ−（別名、息災延命箱）が要求されている。
【課題を解決するための手段】
【００１１】  本発明の上記目的を達成する第一の解決手段は、山形鋼を用いた二本の桁側土台を平行に配置して直交する方向で両端に妻側土台を配置し、下面に平鋼の引張材を前記妻側土台と平行に配置し、四隅に前記平鋼の斜張材を配置した下部床組と、前記山形鋼を用いた二本の桁側梁材を平行に配置して直交する方向で両端に妻側梁材を配置し、上面に平鋼の引張材を前記妻側梁材と平行に配置し、前記妻側梁材と前記引張材の間、並びに前記引張材相互間を連結する間張材を配置した上部梁組と、前記下部床組並びに前記上部梁組の側面および隅柱並びに間柱の上下にボルト孔を開け、接続金具又は接続吊金具を介してポルトで接合して架構体を構築した、浮揚式在宅介護防災シェルタ−の製造方法。【００１２】  第二の解決手段は、前記桁側土台、前記妻側土台、前記桁側梁材、前記妻側梁材、前記隅柱に用いる前記山形鋼が、角型鋼管の隣り合う二辺の端部に前記平鋼を溶接した角形山鋼材と、前記間柱、前記引張材、胴差材、前記間張材、前記斜張材に用いる前記平鋼が、前記角形鋼管の一辺の両端を前記平鋼を溶接した角形平鋼材と、並びに三枚の前記平鋼をＴ字形状に溶接したＴ形平鋼材を配置して軽量化を図った前記架構体を構築した、浮揚式在宅介護防災シェルタ−の製造方法。【００１３】  第三の解決手段は、下部床組の底面部を底鋼板で塞いだ直上に、復元力による沈没防止と被災時の飲料水を確保するため、底鋼板と一体的に製作されたバラストを兼ねる飲料水タンクを設置し、地震が起因する津波、異常気象による洪水、波浪による横波および高波を被っても転覆や沈没することが無い、浮揚式在宅介護防災シェルターの製造方法。【００１４】  第四の解決手段は、浮揚式在宅介護防災シェルタ−の側面と甲板を被覆する複合化皮膜は、硝子塗料で硝子マットを貼付し木部はステップルと傘クギで糊着固定して加水分解反応で硬化して一層目を形成し、二層目の硝子塗料を塗布しながら二層目のシリカ耐熱マットを貼付し糊着固定して加水分解反応で硬化させ、段差のある表面を平滑に研磨し、清掃後に表層の硝子塗料を塗布して加水分解反応で硬化させた複合化皮膜を施し、その上に骨材を混入した断熱塗料で塗装した浮揚式在宅介護防災シェルタ−の製造方法。【００１５】  上記第一の解決手段による作用は次の通りである。山形鋼を用いた二本の桁側土台を平行に配置して直交する方向で両端に妻側土台を配置し、下面に平鋼の引張材を前記妻側土台と平行に配置し、四隅に平鋼の斜張材を配置して溶接した下部床組と、山形鋼を用いた二本の桁側梁材を平行に配置して直交する方向で両端に妻側梁材を配置し、上面に平鋼の引張材を妻側梁材と平行に配置し、妻側梁材と引張材の間、並びに引張材相互間を連結する間張材を配置して溶接した上部梁組と、下部床組並びに上部梁組の側面および隅柱並びに間柱の上下にボルト孔を開け、接続金具又は接続吊金具を介してボルトで接合した強固な架構体を構築して浮揚式在宅介護防災シェルタ−を製造したものである。【００１６】  第二の解決手段による作用は、桁側土台、妻側土台、桁側梁材、妻側梁材、隅柱に用いる従来の山形鋼に替えて角型鋼管の隣り合う二辺の端部に平鋼を溶接した角形山鋼材と、間柱、引張材、胴差材、間張材、斜張材に用いる従来の平鋼に取り替えて角形鋼管の一辺の両端を平鋼を溶接した角形平鋼材と、又は、三枚の平鋼をＴ字形状に溶接して構成されたＴ形平鋼材などと取り替えて配置し、軽量化した強固な架構体を構築して浮揚式在宅介護防災シェルタ−を製造したものである。【００１７】  第三の解決手段による作用は、前記下部床組の底面部を底鋼板で塞いだ直上に、復元力による沈没防止と被災時の飲料水確保で、底鋼板と一体に製作したバラストを兼ねた飲料水タンクを設置し、地震による津波、異常気象による洪水や波浪による高波を被っても、転覆や沈没をしない安全な浮揚式在宅介護防災シェルタ−を製造したものである。【００１８】  第四の解決手段による作用は、浮揚式在宅介護防災シェルタ−を被覆する複合化皮膜はプライマ−処理を施して硝子塗料を塗布しながら硝子マットを貼付し脱泡しながらステップルと傘クギとで糊着固定して加水分解により硬化させて一層目を形成し、二層目の硝子塗料を塗布しながらシリカ耐熱マットを貼付し脱泡しながら糊着固定して加水分解により硬化させ凹凸段差ある表面をグラインダ−で平滑に研磨調整して二層目を形成し、清掃の後に硝子塗料を塗布して加水分解により硬化させて複合化皮膜を形成し、その上に骨材を混入した断熱塗料を塗装して揚式在宅介護防災シェルタ−を製造したものである。
【発明の効果】
【００１９】  上述したように本発明は、浮揚式在宅介護防災シェルタ−を自宅の空き地に設置して高齢者が終の棲家として生活し、津波や洪水警報の発令時には、室内に家族や近隣の住民などが短時間に室内に避難して防水扉を閉鎖し、津波や洪水の発生時は家族や避難者を収容して速やかに浮揚するため、逃げ遅れて津波や洪水により溺死せず、鋼製の強固な架構体にヒノキ間伐材を装着して複合化皮膜による強化対策と防火対策により、様々な災害から避難した収容者の生命と健康を守り、長生きさせることができる。【００２０】  被災者を浮揚式在宅介護防災シェルタ−に収容して浮揚し、海面を漂流中に津波で破損した建物などの浮遊物と激突しても、鋼製の架構体にヒノキ積層材を固定した頑丈な構造の浮揚式在宅介護防災シェルタ−は破損せず、大波を被っても飲料水タンクよるバラスト効果で転覆や沈没もせず、収容した被災者の生命を守り、健康および財産が保護される。また漂流中には、脱出口から滑り止が施され視認性あるインタ−ナショナルオレンジ色の断熱塗料が施された甲板に脱出し、波間を漂い溺れている被災者を水難救助し、救助した被災者の一時待機の場所として使用し、視認性がある色彩のため上空から捜査中の航空機から早期に発見されて救助され、被災者から災いを取り去り延命させることができる。【００２１】  急速に高齢化が進行して介護が必要な老人の増加に比べ、介護施設が大幅に不足して自宅で介護をせざるを得ない状況である。自宅での介護は、家族の体力消耗や精神的負担と自宅の段差解消や衛生設備の改修などが必要であり改造費用も高額で甚だ困難であった。浮揚式在宅介護防災シェルタ−を自宅に設置して、自宅で介護する高齢者の身体的機能、支援が受けれる介護サ−ビス状況や医療機関の状況を考慮して、室内にカメラと各種センサ−を設置してＩｏＴに接続して、職場に勤務しながら携帯電話で自宅で介護する高齢者の状態を態観察しながら介護支援機関や医療機関と緊密に連絡して対応することで、現在介護を理由として年間１０万人前後発生している介護離職を減少させることができる。【００２２】  浮揚式在宅介護防災シェルタ−にヒノキを用いるため、ヒノキ独特の色艶と独特の芳香が漂う爽やかな雰囲気で、高気密と高断熱による湿度調節作用で夏涼しくて冬温かな健康空間のためメンタルヘルス分野のサイコセラピ−治療室などに。また政府は、海外から来日する観光客増加と、東京オリンピックで更に不足するホテルに対応するため、一般住宅に宿泊する民泊を奨励しているが一般住宅は宿泊施設として不適切なため、浮揚式在宅介護防災シェルタ−の室内に浴室、トイレ、洗面、スプリンクラ−等を完備してインタ−ネットで管理する、旅館業法の基準を満たした宿泊施設として提供することができる。【００２３】  今後３０年以内に未曾有の天変地異により発生が予想される、南海トラフ大地震それらが起因する大津波、異常気象による集中豪雨や河川氾濫による洪水、台風などによる高潮など大規模な水災害が発生し、被災地で緊急に必要とされる被災者の救護収容施設、避難収容施設、災害復旧住宅などの災害復旧資材として、飲料水タンクと太陽光発電パネルと蓄電池を内蔵した地震津波洪水対策用浮揚式シェルタ−を備蓄保管��ておき、地震や地震による津波、集中豪雨による洪水、台風による高潮などの災害発生時には、浮揚式在宅介護防災シェルタ−をトラックで被災地へ運搬して直ちに使用することができる。【００２４】  浮揚式在宅介護防災シェルタ−の主材料に、中山間地域の山林内に放置されたヒノキの間伐材を４００本前後使用するため、地域の住民に現金収入が得られ、浮揚式在宅介護防災シェルタ−の製造でも高価で特殊な木工機械を必要せず、高齢の木工経験者が指導して、未経験の若者・婦女子・高齢者に日曜大工程度の木工技術を習得させ、市販の電動工具で製造できるため大工不足にも対応できる。山林内の間伐材を伐採して使用するエコシステムを確立させ、過疎化と高齢化が急速に進行しいる中山間地域で、地方創生による新たな木材関連産業を事業化させることで、過疎地域を再生することができる。【００２５】  国内の林業は、山林内で立木の段階から、立木を育成管理する間伐作業や伐採による木材搬出などの作業を計画的に行い、搬出した里山で木材の乾燥と加工、加工材を用いて浮揚式在宅介護防災シェルタ−を製造し、消費者の手に届く迄のサプライチェ−ン改革が図れる大きな可能性がある。国内の森林から計画的に伐採して、植林する循環をつくる、新たな事業の創生により、五兆円規模の関連産業と五十万人の雇用が発生する地方創生の事業化だけでなく、山林の維持管理により、日本国土の強靱化を図ることができる。【００２６】  日本が京都議定書で約束した二酸化炭素の森林吸収目標の達成は、間伐材の利用方法が無いためバイオマス発電による焼却の奨励と、間伐材を伐採して苗木を植える維持管理が挫折して二酸化炭素の削減が困難であった。浮揚式在宅介護防災シェルタ−を製造する木材産業による地方創生により、間伐材を伐採して使う→植える→育てる→伐採する→使うという、好循環するエコシステムを構築して持続可能な循環型社会が形成されることで、二酸化炭素の森林吸収目標に寄与して、地球温暖化の防止に貢献することができる。【００２７】  国内の刑務所では六万人前後の受刑者が、懲役刑のため職員の指導により改善更生し円滑に社会復帰するための処遇方策として、心身の健康を維持し勤労精神を養成しながら一部の受刑者は、木工関連の職業的知識及び技能習得を目的とし刑務作業に従事している。刑務作業で浮揚式在宅介護防災シェルタ−を造り、習得した木工知識と技能の付与により受刑者の円滑な社会復帰を促進させる。社会に復帰後も、浮揚式在宅介護防災シェルタ−を造ることで収入が得られ経済的に安定するため、更生が促進され再犯罪が防げる。
【図面の簡単な説明】
【００２８】
【図１】  本発明の浮揚式在宅介護防災シェルタ−の斜視図である。
【図２】  同発明の等辺山形鋼を用いた架構体の構成図である。
【図３】  同発明の等辺山形鋼を用いた架構体の斜視図である。
【図４】  同発明の床組に飲料水タンクを設置した斜視図である。
【図５】  同発明の等辺山型鋼を用いた断面図である。
【図６】  同発明の等辺山型鋼を用いた架構体の断面図である。
【図７】  同発明の角形山鋼材を用いた架構体の構成図である。
【図８】  同発明の角形山鋼材を用いた架構体の斜視図である。
【図９】  同発明の角形山鋼材を構成する断面図である。
【図１０】  同発明の角形平鋼材を構成する断面図である。
【図１１】  同発明のＴ形平鋼材を構成する断面図である。
【図１２】  同発明の角形山鋼材を用いた架構体の断面図である。
【図１３】  同発明の在宅介護に用いた室内を示す断面図である。
【図１４】  同発明の津波避難に用いた室内を示す断面図である。
【発明を実施するための形態】
【００２９】  本発明の浮揚式在宅介護防災シェルタ−の実施例を図１、構成を図２、外観を図３、断面を図６、別の構成を図７、外観を図８、断面を図１２、床組に飲料水タンクの設置例を図４、等辺山形鋼材を図５、角形山形鋼材を図９、角形平鋼材を図１０、Ｔ形平鋼材を図１１、在宅介護の室内断面を図１３、津波避難の室内断面を図１４を用いて説明するが、実施例はあくまでも一例であって、本発明を限定するものではない。
【００３０】  既製品の鋼材である等辺山形鋼並びに不等辺山形鋼など（以下併せて山形鋼と称す。）山形鋼２０を用いた二本の桁側土台１０を平行に配置して、前記桁側土台１０と直交する方向で両端に妻側土台１１を平行に配置しそれぞれの四隅を直角に突き合わせて溶接し、下面の四隅付近に平鋼２２を用いた斜張材１９を配置して溶接し、平行する桁側土台１０の間に少なくとも二本以上の平鋼２２を用いた引張材１６を配置して溶接することで、長方形の強固な下部床組６が形成される、前記平鋼２２に代え図１０の角形鋼管２１の一辺の両端に前記平鋼２２を溶接した角形平鋼材２４を用いても良い。更に、下部床組６の底面部４を底鋼板２８で塞いで溶接することで底面部４からの浸水を防止した強固な下部床組６が構成される。更に、前記下部床組６の周囲の側面部２に隅柱１４並びに角形鋼管２１の一辺の両端に前記平鋼２２を溶接した図１０の間柱１５を立柱して接続金具２６又は接続吊金具２７を介してボルト４０で接続するためのボルト孔２９を穿孔する。
【００３１】  山形鋼２０を用いた二本の桁側梁材１２を平行に配置して、前記桁側梁材１２と直交する方向で両端に妻側梁材１３を平行に配置しそれぞれ四隅を直角に突き合わせて溶接し、平行する桁側梁材１２の上面に少なくとも二本以上の平鋼２２を用いた引張材１６とそれらを繋ぐ間張材１８を配置して溶接し長方形の上部梁組７が形成される、前記平鋼２２に代えて図７で示す角形鋼管２１の一辺の両端に前記平鋼２２を溶接した角形平鋼材２４を用いても良い。前記上部梁組７の周囲の側面部２に隅柱１４並びに角形鋼管２１の一辺の両端に前記平鋼２２を溶接した間柱１５を立柱し接続金具２６又は接続吊金具２７を介してボルト４０を接続するためのボルト孔２９を穿孔する。尚、間柱１５、間張材１８、斜張材１９等は使用する用途に応じて増設又は省略することができる。
【００３２】  下部床組６と前記上部梁組７のそれぞれをつなぐ山形鋼２０を用いた隅柱１４並びに角形平鋼材２４を用いた間柱１５を立柱して強固な架構体８を構築するため、前記隅柱１４並びに前記間柱１５の下端部と上端部にボルト４０を螺子止めするためのボルト孔２９を開ける。前記隅柱１４並びに間柱１５の下端と下部床組６及び前記隅柱１４並びに間柱１５の上端と上部梁組７との接続は、接続金具２６又は接続吊金具２７を介してボルト４０で螺子止めして接合することで強固な架構体８が構築される。
【００３３】  下部床組６内部の底面部４には図４並びに図６で示すよう、妻方向に平鋼２２又は角形平鋼材２４を用いた引張材１６で繋ぎ、その間を底鋼板２８で塞ぎ溶接することで底面部４からの浸水や漏水が防止される。前記底鋼板２８に接続して、浮揚式在宅介護防災シェルタ−１（息災延命箱）の転覆を防止するためのバラスト（例えば、波浪や津波などの横波による復元力を増大させて安定させる。）を兼ねる内容積量１ｍ３〜２ｍ３前後で常に満水状態の飲料水タンク６０（例えば、ＦＲＰ製又はステンレス製など。）を設置し、その周囲を結露を防止する断熱材６７で囲んで外気と遮断し、前記引張材１６の上側に固定金具５７を溶接してヒノキ間伐材の大引４５を配置し、側面から固定金具５７を介してスクリュ−ネジ４１で大引４５を固定し、大引４５の上に集成床パネル３０を敷設する。
【００３４】  山形鋼２０を用いた下部床組６と上部梁組７との間を繋ぐ隅柱１４相互の間、隅柱１４と間柱１５の間、間柱１５相互の間に、少なくとも一本以上の胴差材１７（図示せず。）図１１の角形平鋼材２４又は図１１のＴ形平鋼材２５を用いた胴差材１７を水平に配置して繋ぐ、前記下部床組６と前記上部梁組７とを繋ぐ隅柱１４及び間柱１５並びに胴差材１７とで囲まれた枠内に、室内部５から集成桁パネル３１及び集成妻パネル３２を挿入し、外の側面部２からスクリュ−ネジ４１で固定することで、浮揚式在宅介護防災シェルタ−１（息災延命箱）が側面から受ける耐衝撃加重を４倍程度増すことができた。又集成桁パネル３１及び集成妻パネル３２を二〜三分割して軽くするため女性や高齢者が製作作業に携わることができた。尚、胴差材１７は用途に応じて増設又は省略することができる。
【００３５】  上部梁組７上面の間に二本以上の平鋼２２又は角型平鋼材２４の引張材１６と間張材１８を十字形に配置して溶接て繋いだ上部梁組７の上に、集成甲板パネル３３を敷設し室内部５からスクリュ−ネジ４１で固定し、集成甲板パネル３３の上に不燃材５６を敷設して傘クギ４４を打ち込み固定し、浮揚式在宅介護防災シェルタ−１の側面部２と甲板部３にプライマ−を塗布し、一層目の硝子塗料５８を塗布しながら硝子マット４６を敷設して脱泡させながらパネル部はステップル４３と傘クギ４４とで糊着固定させて加水分解により硬化させて一層目を形成し、二層目の硝子塗料５８を塗布しながらシリカ耐熱マット４７を敷設して脱泡させながらステップル４３で糊着固定させて加水分解により硬化させて凹凸の段差ある表面をディスクサンダ−で平滑に研磨調整して二層目を形成し、清掃の後、表面層の硝子塗料５８を塗布して加水分解により硬化させて耐衝撃性が増加した複合化皮膜５９を形成し、その上に断熱塗料５５を塗布して断熱性能を付与したものである。
【００３６】  複合化皮膜５９により、火災による着火や遅延させ延焼が防ぐ防火対策を施す。更に、暑さ、寒さ、騒音対策のため断熱塗料５５（例えば、球形セラミック配合アクリルシリコン樹脂塗料など。）を塗装し、側面部２の色調は設置して周囲の建物などの景観に馴染む淡い色合いで塗装し、甲板部３の色調は漂流中に波間を漂う被災者の水難救護や被災者の一時退避の場所として使用するため擦り止め加工を施して、視認性のよい色彩である国際規格のインタ−ナショナルオレンジ色で塗装し、高潮、洪水、津波などに被災し海面を漂流中、上空で捜査中の飛行機やヘリコプタ−などから早期に発見されて救難救助される。また、室内部５から甲板部３に出入する甲板脱出口５１を設置し、上側に甲板防護ガ−ド３８を設置して落下物などから浮揚式在宅介護防災シェルタ−１を保護している。
【００３７】  前記山形鋼２０に代えて角形山鋼材２３を用いた第二の架構体８構成例を、構成図７、斜視図８、構造図９、図１０、図１１を用いて詳細に説明する。角形鋼管２１の一辺の両端に平鋼２２を溶接した角形山鋼材２３を用いた二本の桁側土台１０を平行に配置して、前記桁側土台１０と直交する方向で両端に妻側土台１１を平行に配置しそれぞれの四隅を直角に突き合わせて溶接し、平行する桁側土台１０の下面の間に少なくとも二本以上の平鋼２２又は前記平鋼２２に代えて図１０の構造図で示すように角形鋼管２１の一辺の両端に平鋼２２を溶接した角形平鋼材２４の引張材１６と、その間で十字形に交差する角形平鋼材２４の間張材１８を配置し溶接して繋いで長方形の強固な下部床組６が形成される、更に下部床組６の底面部４を底鋼板２８または用途に応じて（例えば、キ−ストンプレ−ト、デッキプレ−トなど。）を用いて塞いで溶接することで底面部４からの浸水や漏水を防止した強固な下部床組６が構成される。前記下部床組６の周囲の側面部２に角形山鋼材２３を用いた隅柱１４並びに角形平鋼材２４を用いた間柱１５を立柱して接続金具２６又は接続吊金具２７を介してボルト４０で接続するためのボルト孔２９を穿孔する。
【００３８】  山鋼材２３を用いた二本の桁側梁材１２を平行に配置して、前記桁側梁材１２と直交する方向で両端に妻側梁材１３を平行に配置しそれぞれ四隅を直角に突き合わせて溶接し、平行する桁側梁材１２の間に少なくとも二本以上の平鋼２２又は前記平鋼２２に代えて図７で示す角形鋼管２１の一辺の両端に前記平鋼２２を溶接した角形平鋼材２４を用いた引張材１６とそれらを繋ぐ角形平鋼材２４の間張材１８を配置して溶接することで長方形の強固な上部梁組７が形成される。前記上部梁組７の周囲の側面部２に隅柱１４並びに角形鋼管２１の一辺の両端に前記平鋼２２を溶接した間柱１５を立柱して接続金具２６又は接続吊金具２７を介してボルト４０で接続するためのボルト孔２９を穿孔する。
【００３９】  下部床組６と前記上部梁組７のそれぞれをつなぐ角形山鋼材２３を用いた隅柱１４並びに角形平鋼材２４を用いた間柱１５を立柱して強固な架構体８を構築するため、前記隅柱１４並びに前記間柱１５の下端部と上端部にボルト４０を螺子止めするためのボルト孔２９を開ける。前記隅柱１４並びに間柱１５の下端と下部床組６及び前記隅柱１４並びに間柱１５の上端と上部梁組７との接続は、接続金具２６又は接続吊金具２７を介してボルト４０を螺子止めして接合されることで強固な架構体８が構築される。
【００４０】  下部床組６の底面部４を図４および図１２で示す、妻方向に平鋼２２又は角形平鋼材２４を用いた引張材１６で繋ぎ、その間を底鋼板２８で塞ぐことで底面部４からの浸水や漏水が防止されている。前記底鋼板２８の上に接続した、浮揚式在宅介護防災シェルタ−１（息災延命箱）の転覆や横揺れを防止するバラスト（例えば、波浪や津波などの横波による復元力を増大して安定させ沈没を防止する。）を兼ねる内容積量１ｍ３〜２ｍ３前後で常に満水状態の飲料水タンク６０を設置し、結露を防止する断熱材６７で囲んで保温し。前記引張材１６の上に固定金具５７を溶接して木製の大引４５を配置し側面から固定金具５７を介してスクリュ−ネジ４１で固定し、大引４５の上に集成床パネル３０を敷設する。
【００４１】  角形山鋼材２３を用いた桁側土台１０と桁側梁材１２との間を繋ぐ隅柱１４相互の間又は隅柱１４と間柱１５の間及び間柱１５相互の間に、少なくとも一本以上の図１０の角型平鋼材２４又は図１１の三枚の平鋼２２をＴ字形に溶接したＴ形平鋼材２５を用いた胴差材１７を水平に配置して繋いで、前記下部床組６と前記上部梁組７のそれぞれを繋ぐ隅柱１４及び間柱１５又は胴差材１７とで囲まれて分割した枠内に、室内部５から集成桁パネル３１や集成妻パネル３２を二〜三分割して挿入し、室外からスクリュ−ネジ４１で固定する。パネルを分割して軽くすることで女性や高齢者が製作作業に携われる。浮揚式在宅介護防災シェルタ−１側面の耐衝撃加重を４倍前後増すことができた。
【００４２】  上部梁組７の上面の間に少なくとも二本以上の平鋼２２又は角型平鋼材２４を用いた引張材１６と間張材１８を十字形に配置して溶接て繋いだ上部梁組７の上に、集成甲板パネル３３を敷設して室内部５側からスクリュ−ネジ４１で固定し、集成甲板パネル３３の上に不燃材５６を敷設して傘クギ４４を打ち込み固定し、浮揚式在宅介護防災シェルタ−１（息災延命箱）側面部２及び甲板部３にプライマ−を塗布し、一層目の硝子塗料５８を塗布しながら硝子マット４６を敷設して脱泡させ木質パネル部ではステップル４３と傘クギ４４とで糊着固定させて加水分解により硬化させて一層目を形成し、二層目の硝子塗料５８を塗布しながらシリカ耐熱マット４７を敷設して脱泡させステップル４３で糊着固定させて加水分解により硬化させて凹凸段差ある表面をグラインダ−又はベルトサンダ−で平滑に研磨して二層目を形成し、清掃の後、三層目の硝子塗料５８を塗布して加水分解により硬化させたことで耐衝撃性が増加した複合化皮膜５９が形成される。
【００４３】  複合化皮膜５９により、火災による着火や遅延させ延焼が防ぐ防火対策を施す。更に、暑さ、寒さ、騒音対策のため断熱塗料５５（例えば、球形セラミック配合アクリルシリコン樹脂塗料など。）を塗装し、側面部２の色調は設置して周囲の建物などの景観に馴染む淡い色合いで塗装し、甲板部３の色調は漂流中に波間を漂う被災者の水難救護や被災者の一時退避の場所として使用するため擦り止め加工を施して、視認性のよい色彩である国際規格のインタ−ナショナルオレンジ色で塗装し、高潮、洪水、津波などに被災し海面を漂流中、上空で捜査中の飛行機やヘリコプタ−などから早期に発見されて救難救助される。また、室内部５から甲板部３に出入する甲板脱出口５１を設置し、上側に甲板防護ガ−ド３８を設置して落下物などから浮揚式在宅介護防災シェルタ−１を保護している。
【００４４】  山林放置のヒノキ小径木間伐材を利用した、集成床パネル３０、集成桁パネル３１、集成妻パネル３２、集成甲板パネル３３などの製造方法は、山林内で利用方法が無く放置されている樹齢３０年〜４０年のヒノキ小径木の間伐放置材を搬出し、製材所で１０５ｍｍ前後の角材に製材する。製材された角材を自然乾燥または人工乾燥により含水率を１２％前後まで乾燥させた後、１００ｍｍ前後の角材に削り、節や割れのある面を接合面としてイソシアネ−ト系の接着剤を塗布して、木材接合プレスに多段に積み上げて上下から加圧すると同時に前後からも加圧して曲がりや反りを矯正し、接着剤が硬化することで多段に幅はぎ接合された強固なヒノキ小径木の、前記集成床パネル３０、前記集成桁パネル３１、前記集成妻パネル３２、前記集成甲板パネル３３などを接合プレスから取り出し、前記浮揚式在宅介護防災シェルタ−１の側面部２、甲板部３、床面９などに使用する。
【００４５】  浮揚式在宅介護防災シェルタ−１は図６並びに図１２で示すよう、下部床組６の底鋼板２８の上に角形平鋼材２４と固定金具５７を溶接し大引４５をスクリュ−ネジ４１で固定し、大引４５の上にヒノキ小径木の集成床パネル３０を敷設した室内全てが水密構造でヒノキの香りが漂う居ながらにして森林雰囲気の漂う室内部５となるため、高齢者の在宅介護室、サイコセラピ−治療室、音楽療法治療室のほか、急増する外国旅行者に対応するペンションや民泊などの宿泊室などに安心して使用することができる。
【００４６】  浮揚式在宅介護防災シェルタ−１を工場内での移動や、搬送運搬時の積み込みや、指定場所に運搬して設置する場合には、隅柱１４又は間柱１５の側面部２に設けた接続吊金具２７に吊り上げワイヤ−のフックを挿入することで天井クレ−ン並びにトラッククレ−ンによる荷役作業が容易に行える。更に、津波の引波や洪水により海上沖合に流されて漂流中の前記浮揚式在宅介護防災シェルタ−１の回航作業は、救助船の曳航ワイヤ−のフックを浮揚式在宅介護防災シェルタ−１下側の下部床組６に設けた接続吊金具２７に挿入して曳航すると、曳航する側が浮き上がることで水の抵抗が減少するため、回航場所まで前記浮揚式在宅介護防災シェルタ−１を容易に曳航することができる。
【実施例１】
【００４７】  我が国は今や世界一の長寿国で、介護高齢者の増加に比べて介護施設が大幅に不足し、自宅で高齢者を介護せざるを得ない状況になってきたが、自宅で高齢者を介護するには介護する家族（特に女性。）の体力消耗や精神的な負担も多くその改善が求められている。自宅を改造して高齢者を介護するには、段差解消、浴室、洗面台、トイレ、移動介助装置の設置など大幅な改造を要し、建物の構造や経済的な理由で住宅を改造することは甚だ困難であったが、自宅に隣接して浮揚式在宅介護防災シェルタ−１を設置するだけて、自宅を改造せず家族の負担を軽減し高齢者を自宅で介護できる。併せて、家族の介護離職が防げるように配慮がなされたもので、以下にその構成を詳細に説明する。【００４８】  浮揚式在宅介護防災シェルタ−１は構造図１３で、国際規格の大型一般貨物コンテナのＪＩＳＺ１６１８−１９７９規格に準じ、設置場所や用途により長さ６ｍ〜１０ｍ前後、幅２．４ｍ、高さ２．７ｍ、室内の高さ２．４ｍの室内部５には介護用の衛生設備や介護用の機器を設置する。室内の天井面には、火災時に自動的に散水し消火するスプリンクラ−の他、監視カメラや各種センサ−などを設置してＩｏＴに接続し、職場に勤務しながら携帯電話で高齢者の状況を観察し、介護支援機関や医療機関と密接に連絡を取り合いながら高齢者を安心して自宅介護できるため、家族の介護離職を防ぐことができる。【００４９】  浮揚式在宅介護防災シェルタ−１は、下部床組６の底面部４の全面を底鋼板２８で塞いだ水密構造で、前記底鋼板２８と一体となり津波や横波による前記浮揚式在宅介護防災シェルタ−１の転覆を防止して安定させるバラストを兼ねた、幅１ｍ高さ２０ｃｍ長さ４ｍ前後で、常時満水状態の貯水容量８００ｌ前後で総重量一屯前後の飲料水タンク６０を設置し、片端に２ｍ前後の衛生設備の設置スペ−ス３９を設けて高齢者介護の浴槽７５、洗面台７７、トイレ７６などの衛生設備を設置して、給排水配管（図示せず。）の接続工事を施工する。集成床パネル３０の床面９と底鋼板２８との３０ｃｍ前後の床下の空間部には、飲料水タンク６０と備蓄食料の収納スペ−スとして確保され、室内部５の床面９に電動ベット７９、電動移動介助装置７８を設置して高齢者が終の棲家として居住し、津波や高潮および洪水などに被災すると、浮揚式在宅介護防災シェルタ−１は浮力により浮揚するため、居住する高齢者や家族の尊い命を守り、貴重な財産を保護することができる。【００５０】  下部床組６に設置した貯水容量８００ｌ前後の前記飲料水タンク６０の周囲には、発泡スチロ−ルなどの断熱材６７を介在し前記飲料水タンク６０の冷却よるタンク外側の結露を防止して熱伝達を防ぎその上に集成床パネル３０を敷設する。公設の水道管から離脱自在のフレキシブル管（図示せず。）により前記飲料水貯蔵タンク６０との間に設置された逆流防止弁６８を介して直圧で常時満水状態に給水するよう配管されている、被災時は浮揚式在宅介護防災シェルタ−１は浮揚し、給水のフレキシブル管は離脱するが逆流防止弁６８で遮断されるため飲料水タンク６０からは逆流せず、中には常に８００ｌ前後の飲料水が蓄えられている。災害の発生後に被災した住民に飲料水の供給が必要な時���は、手動ポンプ（図示せず。）を介して、安全な飲料水として提供することができる。【００５１】  ヒノキ小径木の集成床パネル３０の上面は、段差のないフラットな床面９のため、身体障害者は支障なく車椅子で移動し介助者の支援を受けて浴槽７５で快適に入浴でき、洗面台７７やトイレ７６の壁面には手摺りが設置され洗顔や排便などが容易にできる。また、車椅子が使えない高齢者や重度障害者は介護ヘルパ−が簡単に移動させるため、天井に設置した移動レ−ル７１から懸垂した電動移動介助装置７８に吊設された着座具に要介護高齢者や障害者８１を座らせて、自由自在に電動移動介助装置７８で移動でき、介護ヘルパ−の負担を軽減して快適に洗面、排便、入浴などの介護支援を受けることができる。また照明設備や空調設備及び防水換気扇５０を高齢者が手元でリモコンで操作できる。更に、室内天井部には火災に備えてスプリンク−ラ−（図示せず。）などの消火設備を設置して火災が起こると自動的に散水して消化することで高齢者の焼死を防止している。【００５２】  浮揚式在宅介護防災シェルタ−１の横転や転覆による沈没を防止するために、常時満水状態の貯水量８００ｌ前後で重量１屯前後のバラストを兼ねた飲料水タンク６０によるバラスト効果により、前記浮揚式在宅介護防災シェルタ−１が洪水や津波に被災して海面を漂流中に波浪などの大きな横波を受けて傾斜しても復元力が確保されていることで、横揺れ（ロ−リング）および船首揺れ（ヨ−イング）により前記浮揚式在宅介護防災シェルタ−１が転覆し沈没しないため、収容者が精神的に不安を感じさせないよう配慮している。さらに、集成桁パネル３１や集成妻パネル３２の水面下は、防水処理４８が施されているため海水の浸水を防いで室内部５には一切漏れない水密構造で、収容者が閉鎖な空間による心理的な不安を払拭させて、安心して救助を待つことができる。【００５３】  浮揚式在宅介護防災シェルタ−１には、高齢者や身体障害者が快適に居住するための採光と換気が必要なため、側面部２の集成桁パネル３１または集成妻パネル３２に防水扉５２または防水窓５３と防水換気扇５０などが設置されている。津波の非難警報の発令時には、側面部２の防水扉５２から近隣の幼児や高齢者また身体障害者が、短時間に浮揚式在宅介護防災シェルタ−１の室内部５に避難し防水扉５２を閉じて室内部５に収容し、高潮や洪水さらに津波の来襲時には避難者を収容した状態で、設置場所から迅速に浮揚するため、逃げ遅れ津波に巻き込まれて溺死することが無い、海上を漂流中には避難者が側面部２に設けた防水窓５２により外部の観察と適度な換気ができ、夜間は太陽光発電パネル６１からの給電による照明により不安無く快適に過ごすことができる。【００５４】  浮揚式在宅介護防災シェルタ−１の側面部２と甲板部３に、液体硝子５８の複合化皮膜５９を施したことにより、火事が燃え移っても焼けないような防火対策が施されている。更に、複合化皮膜５９の上には暑さ、寒さ、騒音を遮断するめの断熱塗料５５（例えば、球形セラミック配合アクリルシリコン樹脂塗料など。）を塗装する、側面部２の色調は、周囲の建物や景観にマッチして馴染む淡い色合の色彩で塗装される。甲板部３の色調は、海面を漂流��に波間を漂う被災者の水難救護や被災者の一時退避の場所として使用するため、視認性のよい色彩である国際規格のインタ−ナショナルオレンジ色で塗装され津波、洪水、高潮などに被災して海面を漂流中に、上空から捜査中の飛行機やヘリコプタ−などから早期に発見されて救難救助されるように配慮されている。【００５５】  甲板部３の複合化皮膜５９に塗装する断熱塗料５５はアクリルシリコン樹脂に珪砂を混入させて凹凸の段差がある滑り止め処理が施されている。甲板部３には甲板脱出口５１が設置されており室内部５から甲板脱出口５１を開口して簡単に甲板部３に脱出することができる。また甲板部３には太陽光発電パネル６１が設置され浮揚式在宅介護防災シェルタ−１が海面を漂流中に最低限必要な直流の電力が供給される。その上に鋼製の甲板防護ガ−ド３８を設置して、浮揚式在宅介護防災シェルタ−１や太陽光発電パネル６１を地震による落下物や津波による漂流物などの衝突による損壊から保護している。【００５６】  漂流中には、滑り止め４７処理が施された安全な甲板部３のため、海面を漂う被災者の人命救助作業が容易に行えることで水難救助し、また人命救助した被災者の一時待機場所として使用することができる。更に甲板部３には視認性のよい色彩である国際規格のインタ−ナショナルオレンジ色の防火塗料５５のため、上空で捜査中の救難機やヘリコプタ−などから早期に発見されて救助され、地震による津波や、異常気象による洪水および高潮などの自然災害から、高齢者の尊い生命を守り、健康と財産を保護したものである。
【実施例２】
【００５７】  浮揚式在宅介護防災シェルタ−を応用した津波救命艇の実施例を図１４で説明する。平成２６年９月に作成された、国土交通省海事局の津波救命艇ガイドラインの機能要件を基にして、津波洪水対策用シェルタ−１を改良し開発した、その実施例は、浮揚式在宅介護防災シェルタ−１の内部に、椅子兼収納箱６９と収容者１８を固定するハ−ネス８０の設置と、津波救命艇に必要な機能要件を全て備えたものである。【００５８】  浮揚式在宅介護防災シェルタ−１は、断面詳細図１３で示すよう国際規格コンテナに準じ、設置場所や収容する人数により長さ６ｍ〜８ｍ前後、幅２．４ｍ、室内高２．５ｍの室内部５には、津波の発生前に避難した収容者８１が椅子兼収納箱３７の上に着座して収容者８１の身体をハ−ネス８０で固定する、下部床組６は図４で示すよう底面部４の中央部に転覆を防止する重量一屯前後のバラストを兼ねた飲料水タンク６０を設置して復元力を確保してる。公設の水道管から着脱自在のフレキシブル管（図示せず。）に接続した逆流防止弁６８を介して給水され飲料水タンク６０の中に常時９００ｌ前後の飲料水が蓄えられている。浮揚する時にフレキシブル管は脱管するが、飲料水は逆流防止弁６８で遮断されるためタンクより一切流失しない構造である。被災後に飲料水が必要な時は、手動ポンプ（図示せず。）を用いて飲料水タンク６０内の飲料水を被災者に給水する。【００５９】  浮揚式在宅介護防災シェルタ−１の転覆を防止するために、常時の貯水量が８００ｌ前後で重量１屯前後のバラストを兼ねた飲料水タンク６０によるバラスト効果で、浮揚式在宅介護防災シェルタ−１が津波や横波を被っても転覆しない復元力を確保し、海面に浮揚して漂流する時には、波浪による横揺れ（ロ−リング）および船首揺れ（ヨ−イング）などによる浮揚式在宅介護防災シェルタ−１の揺れを緩和させて収容者の不安を払拭するように配慮がなされている。また、浮揚式在宅介護防災シェルタ−１に防水扉５２と複合化皮膜５９を施したことで、室内部５には一切濾水しない水密構造である。【００６０】  側面部２の集成桁パネル３１または集成妻パネル３２には、防水扉５２や防水窓５３と防水換気扇５０などが設置され、津波の非難警報が発令された時には、側面部２の防水扉５２から幼児や高齢者や近隣の住民が短時間に浮揚式在宅介護防災シェルタ−１の室内部５に乗り込んで防水扉５２を閉じ、室内部５に設置された椅子兼収納箱６９に着座して身体をハ−ネス８０で固定することで身体の安全が確保される。津波や高潮などの来襲時には避難者を収容した状態で迅速に水面に浮揚するため、逃げ遅れて津波に巻き込まれ溺死することも無く、室内部５は防水換気扇５０で適度に換気されており、避難者は防水窓５３から外部の状況を観察しながら安心して救助されるまで過ごすことができる。【００６１】  収容者８１は浮揚式在宅介護防災シェルタ−１の室内部５から甲板脱出口５１を開口して甲板部３に容易に脱出できる、甲板部３には甲板防護ガ−ド３８を設置して地震による落下物や津波による漂流物などから浮揚式在宅介護防災シェルタ−１が保護されている。漂流中は、滑り止め処理が施された甲板部３では、被災して海面を漂う被災者の水難救助を行い��また救助した水難者の一時待機の場所として安全に使用できるため、様々な水害から被災者の尊い命を守り、健康および財産を確実に保護することができる。【００６２】  浮揚式在宅介護防災シェルタ−１の外部に施す硝子塗料５８は、酸化物化（ガラス化）に必要な触媒としてホウ素イオンおよびハロゲンイオンを含み、アルコ−ルに溶融して加水分解可能な、有機金属化合物の複合組成の硝子塗料５８で、浮揚式在宅介護防災シェルタ−１の側面部２と甲板部３全面を清掃した後にプライマ−処理を施し、一層目の硝子塗料５８を塗布して一層目の硝子マット４６を敷設し脱泡転圧させながら木質パネル部はステップル４３と傘クギ４４とを併用して糊着固定させ硝子塗料５８を加水分解により硬化させて一層目を形成し、その上に二層目となる硝子塗料５８を塗布して二層目のシリカ耐熱マット４７を敷設し脱泡転圧させながら木質パネル部はステップル４３で糊着固定させて硝子塗料５８が加水分解により硬化させた後、凹凸の段差がある表面をディスクサンダ−等を使用して平滑に研磨調整して二層目を形成し、清掃した後、三層目となる硝子塗料５８を上塗して加水分解により硬化させたことで、耐衝撃性能と防火性能が強化された複合化皮膜５９なる。尚、硝子塗料５８は限定された物では無く、硝子塗料５８に代えてポリエステル樹脂を用いた、従来のＦＲＰ防水皮膜を施工する事も可能で、設置する場所や使用する用途に応じて適宜使い分けて施工することができる。【００６３】  複合化皮膜５９で処理された浮揚式在宅介護防災シェルタ−１の側面部２には、周囲に馴染む淡い色彩の断熱塗料５５を塗布し、甲板部３には視認性のよい国際規格のインタ−ナショナルオレンジ色の断熱塗料５５を塗布し、地震で発生した建物火災による延焼や、津波や洪水の被災により浮揚して海面を漂流中に燃え盛る家屋漂流物などからの貰い火による火災から防ぎ、漂流中には断熱塗料５５に滑り止め処理が施された安全な甲板部３のため、海面を漂う被災者の水難救助作業が容易に行え、救助した被災者の一時待機の避難場所として使用することができる。甲板部３には視認性のある断熱塗料５５が塗装してあり、上空から捜査中の救難機やヘリコプタ−などから早期に発見されることで速やかに救助され、地震および地震による津波や、異常気象による洪水および高潮などの様々な災害から、国民の生命を守り、健康および財産を確実に保護したものである。
【符号の説明】
【００６４】  １  浮揚式在宅介護防災シェルタ−
６  下部床組
７  上部梁組
８  架構体
１０  桁側土台
１２  桁側梁材
１４  隅柱
１５  間柱
１７  胴差材
２０  山形鋼
２３  角形山鋼材
２７  接続吊金具
２８  底鋼板
３１  集成桁パネル
３８  甲板防護ガ−ド
４６  硝子マット
４７  シリカ耐熱マット
５２  防水扉
５８  硝子塗料
５９  複合化皮膜
６０  飲料水タンク
【図１】
2017065672.tif 000003
【図２】
2017065672.tif 000004
【図３】
2017065672.tif 000005
【図４】
2017065672.tif 000006
【図５】
2017065672.tif 000007
【図６】
2017065672.tif 000008
【図７】
2017065672.tif 000009
【図８】
2017065672.tif 000010
【図９】
2017065672.tif 000011
【図１０】
2017065672.tif 000012
【図１１】
2017065672.tif 000013
【図１２】
2017065672.tif 000014
【図１３】
2017065672.tif 000015
【図１４】
2017065672.tif 000016